(57)【特許請求の範囲】
【請求項１】
表示装置と、カラオケ演奏と並行して歌詞や背景映像データを前記表示装置に出力するカラオケ装置と、このカラオケ装置からカラオケ演奏及び利用者の歌唱をミキシングして出力される音声出力装置を設けるとともに、該カラオケ装置の利用時間を管理する利用時間管理手段と、この利用時間管理手段に基づいて、カラオケボックス内で前記カラオケ装置の利用中に前記利用時間の残時間が一定時間以下になったとき、残時間情報等データを前記表示装置に出力する残時間情報等指示手段とを備えたカラオケシステムにおいて、
前記カラオケ装置の歌詞や背景映像を前記表示装置に表示させる背景映像データと、前記残時間情報等指示手段の残時間情報等データの入力を受付け、前記背景映像上に前記残時間情報をインポーズして前記表示装置に出力するコントローラを前記カラオケ装置とは別体に設けたことを特徴とするカラオケシステム。
【請求項２】
前記利用時間管理手段と前記残時間情報等指示手段は、歌唱者の利用を受け付けるＰＯＳシステムであって、このＰＯＳシステムによる残時間情報等データを、ネットワークを介して前記コントローラに出力するようにしたことを特徴とする前記請求項１記載のカラオケシステム。
【請求項３】
前記残時間情報等指示手段に基づく前記残時間情報等データは、残時間情報に係わる制御コマンドの他、カラオケボックス内のエアコン、照明、空気清浄機等の機器のうち少なくとも１つを制御するコントロールコマンドを含むものであって、前記コントローラは、前記残時間情報等データを受付け、前記表示装置に出力する以外に前記エアコン、照明、空気清浄機等の機器に対してコントロールコマンドを出力するようにしたことを特徴とする前記請求項１乃至２記載のカラオケシステム。
【請求項４】
前記音声出力装置は、ヘッドホンで構成してなることを特徴とする前記請求項１乃至３記載のカラオケシステム。
【発明の詳細な説明】
【技術分野】
【０００１】
本発明は、カラオケボックス利用における利用時間の終了時間告知、及びその告知方法の確実性及びシステムの簡略化を目指したカラオケシステムに関する。
【背景技術】
【０００２】
カラオケボックスと称される業態の店舗は、カラオケ装置を設置した部屋（カラオケボックス）を顧客に時間貸しする形態の営業を行っている。顧客は、カラオケボックスをあらかじめ１時間，２時間というように時間単位でレンタルしてカラオケを楽しむが、終了時間に気づかない場合があるため、何らかの方法で終了時間が近づいてきたことを告知する必要がある。
【０００３】
従来は、インターフォンや電話で係員が部屋に対して、直接告知を行うが、利用者が歌唱中である場合などは、サービスの低下を招くおそれがある。また、歌唱中である場合のことを想定して告知をせずに単に自動延長処理をすることも、顧客に対して理想的なサービスとはいえない。いずれの方法であっても係員が個別にしなければならない作業であるため、係員の作業負担が多くなり、システム上コストアップにつながる。
【０００４】
また更に、最近のカラオケ装置の利用形態として、一人でカラオケを楽しむ利用者が増加している。特に集中してカラオケを歌いたいカラオケユーザは、インターフォンなどで歌唱中に店側の終了時間の告知をされることは非常に煩わしいものであり、また店側の告知がなければ歌唱に集中しているために、終了時間が経過してしまうこともあり問題があった。
【０００５】
従来、引用文献１では、カラオケボックス店における制限時間の告知に関するものが開示されている。この特許文献１によると、カラオケ装置に利用時間記憶手段を設けたり、外部に設けられた利用時間記憶手段に基づく管理装置からの信号をカラオケ装置が受け取る構成のものであったので、これらカラオケのメーカーが異なるカラオケ装置を入れ替えた場合には、制限時間の告知ができなくなってしまっていた。
【先行技術文献】
【特許文献】
【０００６】
【特許文献１】特許第２９１７８５５号公報
【発明の概要】
【発明が解決しようとする課題】
【０００７】
また、上述した如く一人でカラオケを楽しむ利用者が増加しており、特に集中してカラオケを歌いたいカラオケユーザに対する制限時間の告知手段として本願出願人は、表示装置を改造しカラオケの背景映像や歌詞を表示する表示部とカラオケ利用に関しての終了時間を、メインの表示部とは異なる表示部に表示するシステムを試みて、既に出願している。
【０００８】
この発明は、各種メーカーのカラオケ装置にこだわらず、また上述のような特別な表示装置ではなく、一般的な表示装置に終了時間が近いことを表示するようにしたことにより上記の問題を解決し、利用者に確実に告知するようにしたカラオケシステムを提供することを目的とする。
【課題を解決するための手段】
【０００９】
この出願の請求項１のカラオケシステムは、表示装置と、カラオケ演奏と並行して歌詞や背景映像データを前記表示装置に出力するカラオケ装置と、このカラオケ装置からカラオケ演奏及び利用者の歌唱をミキシングして出力される音声出力装置を設けるとともに、
該カラオケ装置の利用時間を管理する利用時間管理手段と、この利用時間管理手段に基づいて、カラオケボックス内で前記カラオケ装置の利用中に前記利用時間の残時間が一定時間以下になったとき、残時間情報等データを前記表示装置に出力する残時間情報等指示手段とを備えたカラオケシステムにおいて、
前記カラオケ装置の歌詞や背景映像を前記表示装置に表示させる背景映像データと、前記残時間情報等指示手段の残時間情報等データの入力を受付け、前記背景映像上に前記残時間情報をインポーズして前記表示装置に出力するコントローラを前記カラオケ装置とは別体に設けて構成している。
【００１０】
この出願の請求項２の発明は、請求項１記載において、前記利用時間管理手段と前記残時間情報等指示手段は、歌唱者の利用を受け付けるＰＯＳシステムであって、このＰＯＳシステムによる残時間情報等データを、ネットワークを介して前記コントローラに出力するようにしている。
【００１１】
さらに、この出願の請求項３の発明は、請求項１乃至２記載において、前記残時間情報等指示手段に基づく前記残時間情報等データは、残時間情報の表示テキストデータ、表示に係わる制御コマンドの他、カラオケボックス内のエアコン、照明、空気清浄機等の機器のうち少なくとも１つを制御するコントロールコマンドを含むものであって、前記コントローラは、前記残時間情報等データを受付け、前記表示装置に出力する以外に前記エアコン、照明、空気清浄機等の機器に対してコントロールコマンドを出力するようにしたものである。
【００１２】
またさらに、この出願の請求項４の発明は、請求項１乃至３記載において、前記音声出力装置は、ヘッドホンで構成してなるものである。
【図面の簡単な説明】
【００１３】
【図１】本発明による実施例を示すカラオケシステムの概念説明図。
【図２】本発明による実施例を示すＰＯＳレジの説明図。
【図３】本発明による実施例を示す表示装置の説明図。
【図４】本発明の実施例を示すカラオケシステムのフロー説明図。
【発明を実施するための形態】
【００１４】
本発明の実施形態を図面に基づいて説明する。
【実施例】
【００１５】
図１に示すように、本発明のカラオケシステム１は構成されている。破線で示される各カラオケボックス２内には、表示装置４と、カラオケ演奏と並行して歌詞や背景映像を前記表示装置４に表示するカラオケ装置６と、このカラオケ装置６からカラオケ演奏及び利用者の歌唱をミキシングして出力される音声出力装置２０が設けられている。そして、そのカラオケボックス２の利用時間を管理する利用時間管理手段とを含むＰＯＳレジ１１からの信号を受けて、表示装置４で残時間情報が表示されるようになっている。
【００１６】
すなわち利用時間管理手段に基づいて、前記カラオケボックス２の利用中に前記利用時間の残時間が一定時間以下になったとき、残時間情報を前記表示装置に表示する残時間情報指示手段も、ＰＯＳレジ１１に備えられている。
【００１７】
ＰＯＳレジ１１からの情報をＬＡＮケーブルでＨＵＢ３を介して、各カラオケボックス２内のコントローラ８に送信されるようになっている。コントローラ８は、カラオケ装置からの映像信号を受けて、表示装置４にこの映像信号を供給する際に、ＰＯＳレジ１１からの指令に基づき、予め設定された残時間情報をインポーズして、表示するようにしてなる。
【００１８】
カラオケ楽曲データなどは、センターサーバからの配信データを、ルータ３を介してＬＡＮケーブルを通じて、別途各カラオケ装置６に供給される（図示せず）。
【００１９】
前記利用時間管理手段と前記残時間情報指示手段は、歌唱者の利用を受け付けるＰＯＳシステムとして構成されるＰＯＳレジ１１であって、このＰＯＳレジ１１による残時間情報を前記表示装置４に表示するようにしたものであるが、図２に示されるようにＰＯＳレジ１１は、キャッシュレジスタ１３、及びレシートを印字するレシート印字部１２、さらに操作パネル１５及びカラオケ利用客がカラオケボックスを利用する利用時間などが管理される記憶部１６及びＰＯＳレジ１１を管理する制御部１７から構成されている。
【００２０】
カラオケ店の従業員が、カラオケ利用客のボックス利用時間を操作パネル１５に入力すると、ＰＯＳレジ１１の内部時計で利用開始時間が設定され、記憶部１６に記憶される。ＰＯＳレジ１１の内部で各カラオケボックス２毎に利用時間が管理されて、残時間表示タイミング（たとえば１０分前）に、告知データが発信され、対応する各カラオケボックス２の表示装置４に表示される。
【００２１】
図３に示されるように、本発明での実施例では、背景映像（カラオケの歌詞情報も含まれる）に、残時間情報がスーパーインポーズされ、表示装置４に同時に表示される。表示例としては、利用時間が残り１０分前であれば、「終了１０分前」と表示し、カラオケボックスの混み具合で、空いていれば「延長可能」、混雑時であれば「延長不可」などと表示されるようにしてもよい。
【００２２】
図３に図示した如く、表示装置４への映像情報のデータは、カラオケ装置からのデータと、ＰＯＳレジ１１からのデータをコントローラ８が受けて、送信しているので、たとえメーカーの異なるカラオケ装置を入れ替えても、残時間表示システムになんら影響を与えることはない。
【００２３】
また、各カラオケボックス２内の音声出力装置２０は、特にヘッドホンで構成されることで、本発明がさらに効果的なものとなる。すなわち、カラオケ利用客は、歌唱に集中してカラオケを楽しんでいてもカラオケの表示装置である前面モニタに残時間が表示されるので確実に残り時間を把握できるようにしたものである。
【００２４】
次に、図４に基づいて、ＰＯＳレジ１１に貸出時間をセットしてから、カラオケボックス２の表示装置４に残時間が表示される状態を説明する。カラオケ店の従業員は、カラオケ利用客がフロントにきて、利用時間を告げると、ＰＯＳレジ１１に貸出予定時間を入力する（ステップ１０１）。ＰＯＳレジ１１は、装置内の時計装置で現在時間を自動でセットし、貸出しを開始し、時間をカウントする（ステップ１０２）利用客は、各カラオケボックス２で、貸し出しを受けた時間内でカラオケを楽しむ。残時間表示タイミング（たとえば１０分前）になると（ステップ１０３）、残時間情報がＰＯＳレジ１１から発せられ、表示装置４に表示される（ステップ１０４）。この表示を受けて、延長する場合、利用客は、インターフォンや電話などでフロントに連絡し、所望の延長時間を告げるとステップ１０１に戻って、貸出時間が再セットされ、新たな時間がカウントされる。ステップ１０５で延長されなければ、利用客はフロントに戻り、精算処理（ステップ１０６）をして、カラオケボックスの利用を終了する。
【００２５】
上記の実施例で、ＰＯＳレジ１１において、利用時間管理手段と前記残時間情報指示手段が設けられており、連動して自動でＰＯＳレジ１１から残時間情報が送信される。一方、ＰＯＳレジ１１において、従業員が、利用客の申し出により、利用時間を入力した後、自動で残時間情報（たとえば１０分前）を出力されることで、ＰＯＳレジ１１の残時間表示タイミングを示したカラオケボックス２に対して、従業員が適宜なスイッチを押下することで（前記残時間情報指示手段）、各カラオケボックス２に残時間情報を発信するものであってもよい。
【００２６】
本発明に係る残時間情報等データとは、残時間情報に係る制御コマンドの他、カラオケボックス２内の照明、エアコン、空気清浄機等の機器を制御するコントロールコマンドを含むものである。すなわち、コントローラ８は、ＰＯＳレジ１１からの情報に基づいて、各カラオケボックス２内の照明２１などのＯＮ／ＯＦＦ制御も行うようになっており、カラオケボックス２の利用終了後、係員が清掃を完了し、「清掃終了情報」をＰＯＳレジ１１に入力すると、カラオケボックス２の照明２１がＯＦＦされ、利用開始の待機状態となる。新たな顧客が来場し、「利用開始情報」をＰＯＳレジ１１に入力すると、カラオケボックス２の照明２１がＯＮされるようになっている。このように、コントローラ８は、この照明２１のほか、カラオケボックス２内のエアコン、空気清浄機等の機器も必要により制御することができるようになっている。
【００２７】
本発明によれば、各メーカーのカラオケ装置によらず、表示装置にダイレクトに利用時間における残時間を表示するので、カラオケ装置を任意に変更でき、カラオケシステムの構築が容易となり、産業上きわめて有益なものが提供できる。
【符号の説明】
【００２８】
１・・・カラオケシステム
２・・・カラオケボックス
３・・・ＨＵＢ
４・・・表示装置
６・・・カラオケ装置
７・・・モニタ表示部
８・・・コントローラ
１１・・・ＰＯＳレジ
１２・・・レシート印字部
１３・・・キャッシュレジスタ
１４・・・通信装置
１５・・・操作パネル
１６・・・記憶部
１７・・・制御部
２０・・・音声出力装置（ヘッドホン）
【図１】
0006055613.tif 000002
【図２】
0006055613.tif 000003
【図３】
0006055613.tif 000004
【図４】
0006055613.tif 000005